(57)【要約】      （修正有）【課題】レンズが設けられたレンズ鏡筒を交換等する際に筐体のレンズ鏡筒装着用開口部から筐体内に侵入する塵埃も確実に除去するプロジェクタを提供する。【解決手段】プロジェクタ本体１１の筺体１１ａと、筺体１１ａに交換可能に装着され、投射レンズが設けられたレンズ鏡筒１２と、筺体１１ａのレンズ鏡筒装着用開口部１１ａ１内側面とレンズ鏡筒１２の外側面との間の隙間を塞ぐようにレンズ鏡筒１２の外表面に接着して設けられたレンズ鏡筒周囲用防塵フィルタ１３は、ウレタンフォームの表面に多数の繊維毛が密に設けられており、その多数の繊維毛の方向がレンズ鏡筒１２の外表面から筺体１１ａに向かうように設けられており、その多数の繊維毛によってレンズ鏡筒１２を交換する際、筐体１１ａ内に侵入する塵埃も除去する。【選択図】図１
0003226195.tif 000002
【実用新案登録請求の範囲】
【請求項１】
筺体のレンズ鏡筒装着用開口部の内側面とレンズ鏡筒の外側面との間の隙間を塞ぐように設けられ、伸縮自在の弾性体の少なくとも一側面に多数の繊維毛が設けられていることを特徴とするレンズ鏡筒周囲用防塵フィルタ。
【請求項２】
請求項１記載のレンズ鏡筒周囲用防塵フィルタにおいて、
前記多数の繊維毛は、静電気が帯電し易いアクリル繊維で形成されていることを特徴とするレンズ鏡筒周囲用防塵フィルタ。
【請求項３】
請求項１または請求項２記載のレンズ鏡筒周囲用防塵フィルタにおいて、
前記レンズ鏡筒周囲用防塵フィルタは、前記弾性体における前記レンズ鏡筒の外側面に対向する側面に接着部材が設けられており、当該接着部材によって前記レンズ鏡筒の外側面に接着して設けられていることを特徴とするレンズ鏡筒周囲用防塵フィルタ。
【請求項４】
請求項１または請求項２記載のレンズ鏡筒周囲用防塵フィルタにおいて、
前記レンズ鏡筒周囲用防塵フィルタは、前記弾性体における前記筐体のレンズ鏡筒装着用開口部に対向する側面に接着部材が設けられており、当該接着部材によって前記筺体のレンズ鏡筒装着用開口部の内側面に接着して設けられていることを特徴とするレンズ鏡筒周囲用防塵フィルタ。
【請求項５】
請求項１〜請求項４のいずれか一の請求項に記載のレンズ鏡筒周囲用防塵フィルタを備えたことを特徴とするプロジェクタ。
【考案の詳細な説明】
【技術分野】
【０００１】
本考案は、筺体のレンズ鏡筒装着用開口部の内側面とレンズ鏡筒の外側面との間の隙間を塞ぐように設けられたレンズ鏡筒周囲用防塵フィルタ、および該防塵フィルタを備えたプロジェクタに関する。
【背景技術】
【０００２】
従来より、プロジェクタは、光源として通常、ランプやＬＥＤ等の光源を使用し、ＤＬＰや透過型液晶素子で表示した画像や動画等を投影するように構成されている。このようなプロジェクタでは、筐体内部の温度上昇を抑制するために冷却ファンを設け、筐体に設けた吸気口から外気を取り込むように構成し、その吸気口近傍には外気に混在する塵埃の侵入を抑制するために防塵フィルターを配置している（例えば、特許文献１参照。）。
【先行技術文献】
【特許文献】
【０００３】
【特許文献１】特開２０１５‐１７９１６１号公報
【考案の概要】
【考案が解決しようとする課題】
【０００４】
ところで、このようなプロジェクタには、使用環境や使用目的等に応じ、例えば「短焦点」や「標準」、「長焦点」等の各種用途に応じたレンズを交換して最適な設置環境を構築できるようにしたレンズ交換式のプロジェクタがある。
【０００５】
しかしながら、上述の特許文献１に記載されたプロジェクタでは、プロジェクタの筐体内に防塵フィルタを設け、吸気口から外気に混在して侵入する塵埃を除去するようにしているものの、防塵フィルタは吸気口近傍に設け、レンズの交換に対応するための間隙に対しての防塵対策が考慮されていないため、レンズが設けられたレンズ鏡筒の間隙を経て、筐体のレンズ鏡筒装着用開口部から筐体内に侵入する塵埃には不十分であるという問題があった。
【０００６】
そこで、本考案は、このような問題点を解決するためになされたもので、レンズが設けられたレンズ鏡筒の間隙や、筐体のレンズ鏡筒装着用開口部から筐体内に侵入する塵埃も確実に除去することができるレンズ鏡筒周囲用防塵フィルタ、およびそのレンズ鏡筒周囲用防塵フィルタを備えたプロジェクタを提供することを目的とする。
【課題を解決するための手段】
【０００７】
前記課題を解決するため、本考案に係るレンズ鏡筒周囲用防塵フィルタは、筺体のレンズ鏡筒装着用開口部の内側面とレンズ鏡筒の外側面との間の隙間を塞ぐように設けられ、伸縮自在の弾性体の少なくとも一側面に多数の繊維毛が設けられていることを特徴とする。
また、本発明に係るレンズ鏡筒周囲用防塵フィルタでは、前記多数の繊維毛は、静電気が帯電し易いアクリル繊維で形成されていることも特徴とする。
また、本発明に係るレンズ鏡筒周囲用防塵フィルタでは、前記レンズ鏡筒周囲用防塵フィルタは、前記弾性体における前記レンズ鏡筒の外側面に対向する側面に接着部材が設けられており、当該接着部材によって前記レンズ鏡筒の外側面に接着して設けられていることも特徴とする。
また、本発明に係るレンズ鏡筒周囲用防塵フィルタでは、前記レンズ鏡筒周囲用防塵フィルタは、前記弾性体における前記筐体のレンズ鏡筒装着用開口部に対向する側面に接着部材が設けられており、当該接着部材によって前記筺体のレンズ鏡筒装着用開口部の内側面に接着して設けられていることも特徴とする。
また、本発明に係るプロジェクタは、上述のいずれかレンズ鏡筒周囲用防塵フィルタを備えたことを特徴とする。
【考案の効果】
【０００８】
本考案に係るレンズ鏡筒周囲用防塵フィルタおよびそのレンズ鏡筒周囲用防塵フィルタを備えたプロジェクタでは、筺体のレンズ鏡筒装着用開口部とレンズ鏡筒の外側面との間の隙間を塞ぐように設けたレンズ鏡筒周囲用防塵フィルタは、伸縮自在の弾性体の少なくとも一側面に多数の繊維毛が設けられている。
そのため、筺体とレンズ鏡筒との間の隙間に設けたレンズ鏡筒周囲用防塵フィルタによって、レンズが設けられたレンズ鏡筒を交換等する際に、筐体のレンズ鏡筒装着用開口部から筐体内に侵入する塵埃も確実に除去することができる。
【図面の簡単な説明】
【０００９】
【図１】本考案に係る実施形態のレンズ鏡筒周囲用防塵フィルタを備えたプロジェクタの内部構造等を簡略化して示す断面図である。
【図２】（ａ），（ｂ）それぞれ本考案に係る実施形態のレンズ鏡筒周囲用防塵フィルタの斜視図である。
【図３】本考案に係る実施形態のプロジェクタを構成するプロジェクタ本体側の筐体におけるレンズ鏡筒装着用開口部に装着されたレンズ鏡筒の取付状態であって、レンズ鏡筒周囲用防塵フィルタを取付ける前の状態を示す要部拡大断面図である。
【図４】本考案に係る実施形態のプロジェクタを構成するプロジェクタ本体側の筐体におけるレンズ鏡筒装着用開口部に装着されたレンズ鏡筒の外側面側にレンズ鏡筒周囲用防塵フィルタが取付けられた状態を示す要部拡大断面図である。
【図５】（ａ），（ｂ）それぞれ本考案に係る実施形態のレンズ鏡筒周囲用防塵フィルタの他の例（左右の両側面および上面の３側面に繊維毛が設けられた例）の斜視図、その他の例のレンズ鏡筒周囲用防塵フィルタが外側面に取付けられたレンズ鏡筒が筐体のレンズ鏡筒装着用開口部に装着された状態を示す要部拡大断面図である。
【図６】（ａ），（ｂ）それぞれ本考案に係る実施形態のレンズ鏡筒周囲用防塵フィルタのさらに他の例（側面および上面の２側面に繊維毛が設けられた例）の斜視図、その他の例のレンズ鏡筒周囲用防塵フィルタが外側面に取付けられたレンズ鏡筒が筐体のレンズ鏡筒装着用開口部に装着された状態を示す要部拡大断面図である。
【図７】（ａ），（ｂ）それぞれ本考案に係る実施形態のレンズ鏡筒周囲用防塵フィルタのさらに他の例（左右の両側面の２側面に繊維毛が設けられた例）の斜視図、その他の例のレンズ鏡筒周囲用防塵フィルタが外側面に取付けられたレンズ鏡筒が筐体のレンズ鏡筒装着用開口部に装着された状態を示す要部拡大断面図である。
【図８】本考案に係る実施形態のプロジェクタを構成するプロジェクタ本体側の筐体におけるレンズ鏡筒装着用開口部の内側面（内側面）側にレンズ鏡筒周囲用防塵フィルタを取付け、レンズ鏡筒を装着した状態を示す要部拡大断面図である。
【考案を実施するための形態】
【００１０】
次に、本考案に係るレンズ鏡筒周囲用防塵フィルタ、およびそのレンズ鏡筒周囲用防塵フィルタを備えたプロジェクタの実施形態について、添付図面を参照しながら説明する。尚、以下に説明する実施の形態はあくまで本考案の一例であり、本考案が下記に説明する実施の形態に限定されるものではなく、本考案の技術的思想の範囲内で適宜変更可能である。
【００１１】
（プロジェクタ１）
本考案に係る実施形態のレンズ鏡筒周囲用防塵フィルタ１は、図１に示すように光源１１ｂおよび画像生成素子１１ｃが筺体１１ａに内蔵されたプロジェクタ本体１１と、プロジェクタ本体１１の筺体１１ａに交換可能に装着され、投射レンズ１２ａが設けられたレンズ鏡筒１２と、筺体１１ａのレンズ鏡筒装着用開口部１１ａ１内側面とレンズ鏡筒１２の外側面との間の隙間を塞ぐように設けられたレンズ鏡筒周囲用防塵フィルタ１３等を備えている。
【００１２】
プロジェクタ本体１１は、筺体１１ａ内にランプ等の光源１１ｂと、ＲＧＢ各３色の透過型の画像生成素子１１ｃと、内蔵レンズ１１ｄと、反射ミラー１１ｅと、プリズム１１ｆと、電源ユニット１１ｇ等を内蔵しており、周知の構成である。尚、図１に示すプロジェクタ１では、筐体１１ａに設けられる空気の吸気口や排出口、さらには吸気口近傍等に設けられる吸気口用防塵フィルタは、図示を省略している。
【００１３】
レンズ鏡筒１２は、上述したようにプロジェクタ本体１１の筺体１１ａのレンズ鏡筒装着用開口部１１ａ１に交換可能に装着され、撮影素子１１ｃが生成した画像を投射レンズ１２ａに映し、その投射レンズ１２ａに照射された光源１１ｂからの投射光によって前方のスクリーンや壁等に画像を投射するもので、これも周知の構成である。
【００１４】
レンズ鏡筒周囲用防塵フィルタ１３は、筺体１１ａのレンズ鏡筒装着用開口部１１ａ１内側面とレンズ鏡筒１２の外側面との間の隙間を塞ぐようにレンズ鏡筒１２の外表面に接着して設けられている。
【００１５】
レンズ鏡筒周囲用防塵フィルタ１３は、伸縮性に富む弾性体としてウレタンフォーム１３ａを使用しており、図２(ａ)，(ｂ)に示すようにウレタンフォーム１３ａの少なくとも一側面に静電気を帯び易いアクリル繊維からなる多数の繊維毛１３ｂが密に生えて長尺に構成されたもので、ウレタンフォーム１３ａの底面であるレンズ鏡筒１２の外側面に対向する側面には接着部材として両面テープ１３ｃが設けられており、両面テープ１３ｃによってレンズ鏡筒１２の外側面に接着して設けられている。
【００１６】
このようなプロジェクタ１では、図３に示すように筺体１１ａのレンズ鏡筒装着用開口部１１ａ１内側面とレンズ鏡筒１２の外側面との間にレンズ鏡筒周囲用防塵フィルタ１３を設けていない場合は、使用環境や使用目的等に応じてレンズ１２ａを例えば「短焦点」や「標準」、「長焦点」等の各種用途に応じたレンズ１２ａのレンズ鏡筒１２に交換する場合に、プロジェクタ本体１１の筺体１１ａとレンズ鏡筒装着用開口部１１ａ１内側面とレンズ鏡筒１２の外側面との間の隙間や、レンズ鏡筒装着用開口部１１ａ１の空間から筺体１１ａ内へ塵埃が入り易い。
【００１７】
しかし、本実施形態では、図１や図４に示すようにレンズ鏡筒１２の外側面にレンズ鏡筒周囲用防塵フィルタ１３が両面テープ１３ｃで貼り付けて設けられており、かつ、そのレンズ鏡筒周囲用防塵フィルタ１３の一側面には多数の繊維毛１３ｂが密に生えているため、筺体１１ａ内へ入り込もうとする塵埃を確実に吸着することができる。
【００１８】
特に、筺体１１ａとレンズ鏡筒１２との間に微小な隙間があった場合でも、レンズ鏡筒周囲用防塵フィルタ１３の一側面に設けられた多数の繊維毛１３ｂは、静電気を帯び易いアクリル繊維毛で形成されており、筺体１１ａ内へ入り込もうとする塵埃を静電気で吸着するため、この点でも筺体１１ａ内へ入り込もうとする塵埃を確実に吸着することができる。
【００１９】
また、レンズ鏡筒周囲用防塵フィルタ１３の一側面に設けられた多数の繊維毛１３ｂ同士は、静電気を帯び易いアクリル繊維毛で互いに反発し合って繊維毛１３ｂ先端側が広がるため、筺体１１ａのレンズ鏡筒装着用開口部１１ａ１内側面とレンズ鏡筒１２の外側面との間の隙間を確実に覆って塞ぐことができる。
【００２０】
そのため、筺体１１ａのレンズ鏡筒装着用開口部１１ａ１内側面とレンズ鏡筒１２の外側面との間の隙間に設けたレンズ鏡筒周囲用防塵フィルタ１３によってレンズ鏡筒１２を交換する際にプロジェクタ本体１１の筐体１１ａ内に侵入する塵埃も確実に除去することができる。
【００２１】
また、レンズ鏡筒周囲用防塵フィルタ１３は、主に伸縮性に富むウレタンフォーム１３ａから構成されており、ウレタンフォーム１３ａが筺体１１ａのレンズ鏡筒装着用開口部１１ａ１内側面とレンズ鏡筒１２の外側面との間の隙間に挟まりその隙間の間隔がウレタンフォーム１３ａの厚さより小さい場合にはウレタンフォーム１３ａが容易に収縮するので、レンズ１２ａの焦点を合わせる作業やレンズ鏡筒１２の交換作業等に支障を与えることなく、筐体１１ａ内に侵入する塵埃も確実に除去することができる。
【００２２】
＜本考案に係る実施形態のレンズ鏡筒周囲用防塵フィルタ１等のまとめ＞
以上説明したように、本考案に係る実施形態のレンズ鏡筒周囲用防塵フィルタ１およびそのレンズ鏡筒周囲用防塵フィルタを備えたプロジェクタでは、筺体１１ａのレンズ鏡筒装着用開口部１１ａ１内側面とレンズ鏡筒１２の外側面との間の隙間に、ウレタンフォーム１３aの表面に多数の繊維毛１３ｂが密に設けられたレンズ鏡筒周囲用防塵フィルタ１３を設けている。
【００２３】
そのため、筺体１１ａのレンズ鏡筒装着用開口部１１ａ１内側面とレンズ鏡筒１２の外側面との間の隙間に設けたレンズ鏡筒周囲用防塵フィルタ１３によって、レンズが設けられたレンズ鏡筒を交換等する際に、筐体１１ａのレンズ鏡筒装着部１１ａ１からプロジェクタ本体１１の筐体１１ａ内に侵入する塵埃も確実に除去することができる。
【００２４】
また、本発明に係る実施形態のレンズ鏡筒周囲用防塵フィルタ１３では、多数の繊維毛１３ｂは、静電気が帯電し易いアクリル繊維で形成されている。
【００２５】
そのため、レンズ鏡筒１２を交換する際、筺体１１ａ内へ入り込もうとする塵埃を多数の繊維毛１３ｂの静電気で吸着することができ、筺体１１ａ内へ入り込もうとする塵埃を確実に吸着することができる。
【００２６】
また、その多数の繊維毛１３ｂ同士は、静電気を帯び易いアクリル繊維毛で互いに反発し合って繊維毛１３ｂ先端側が広がるため、筺体１１ａのレンズ鏡筒装着用開口部１１ａ１内側面とレンズ鏡筒１２の外側面との間の隙間を確実に覆って塞ぐことが可能となり、この点でもプロジェクタ本体１１の筐体１１ａ内に侵入する塵埃も確実に除去することができる。
【００２７】
尚、上記実施形態の説明では、図２(ａ)，(ｂ)に示すようにウレタンフォーム１３ａの図２(ａ)上、左側面にのみ多数の繊維毛１３ｂが設けられたレンズ鏡筒周囲用防塵フィルタ１３を一例に説明したが、本発明ではこれに限定されるものはなく、例えば、図５(ａ)に示すように両面テープ１３ａが設けられた側面以外の３面、すなわち図５(ａ)上、左側面と右側面と上面の３面に多数の繊維毛１３ｂが設けられたレンズ鏡筒周囲用防塵フィルタ１３を使用して、図５(ｂ)に示すようにレンズ鏡筒１２に両面テープ１３ａで貼り付けて筺体１１ａのレンズ鏡筒装着用開口部１１ａ１内側面とレンズ鏡筒１２の外側面との間の隙間を塞ぐように構成しても良い。
【００２８】
また、図６(ａ)に示すような左側面と上面の２面に多数の繊維毛１３ｂが設けられたレンズ鏡筒周囲用防塵フィルタ１３を使用して、図６(ｂ)に示すようにレンズ鏡筒１２に両面テープ１３ａで貼り付けて筺体１１ａのレンズ鏡筒装着用開口部１１ａ１内側面とレンズ鏡筒１２の外側面との間の隙間を塞ぐように構成しても良いし、さらには図７(ａ)に示すような左側面と右側面の２面に多数の繊維毛１３ｂが設けられたレンズ鏡筒周囲用防塵フィルタ１３を使用して、図７(ｂ)に示すようにレンズ鏡筒１２に両面テープ１３ａで貼り付けて筺体１１ａのレンズ鏡筒装着用開口部１１ａ１内側面とレンズ鏡筒１２の外側面との間の隙間を塞ぐように構成しても良い。
【００２９】
さらに、上記実施形態の説明では、多数の繊維毛１３ｂが設けられたレンズ鏡筒周囲用防塵フィルタ１３を両面テープ１３ａでレンズ鏡筒１２の外側面に貼り付けて説明したが、本発明ではこれに限らず、例えば、図８に示すように、レンズ鏡筒装着用開口部１１ａ１内側面側に貼り付けてレンズ鏡筒周囲用防塵フィルタ１３裏面の両面テープ１３ａで貼り付けて筺体１１ａのレンズ鏡筒装着用開口部１１ａ１内側面とレンズ鏡筒１２の外側面との間の隙間を塞ぐように構成しても良い。尚、図８では、レンズ鏡筒周囲用防塵フィルタ１３を両面テープ１３ａでレンズ鏡筒１２の外側面に貼り付けていることが明確になるよう、図４の場合とは異なりレンズ鏡筒周囲用防塵フィルタ１３も切断してその断面を図示している。
【００３０】
また、図８に示すようにレンズ鏡筒周囲用防塵フィルタ１３を筺体１１ａのレンズ鏡筒装着用開口部１１ａ１内側面側に貼り付ける場合も、図２(ａ)，(ｂ)に示すような一側面に多数の繊維毛１３ｂが設けられたレンズ鏡筒周囲用防塵フィルタ１３を張り付けても良いし、図５(ａ)に示すような左側面と右側面と上面の３面に多数の繊維毛１３ｂが設けられたレンズ鏡筒周囲用防塵フィルタ１３を張り付けても良いし、さらには図６(ａ)に示すような左側面と上面の２面に多数の繊維毛１３ｂが設けられたレンズ鏡筒周囲用防塵フィルタ１３や、図７(ａ)に示すような左側面と右側面の２面に多数の繊維毛１３ｂが設けられたレンズ鏡筒周囲用防塵フィルタ１３を筺体１１ａのレンズ鏡筒装着用開口部１１ａ１内側面側に貼り付けても勿論良い。
【００３１】
また、上記実施形態の説明では、レンズ鏡筒周囲用防塵フィルタ１３は伸縮性に富む弾性体としてウレタンフォーム１３ａを一例に説明した、本発明ではこれに限らず、弾性体であれば、スポンジやゴム等であっても良い。
【００３２】
また、上記実施形態の説明では、接着部材として両面テープ１３ａを一例に説明したが、本発明ではこれに限らず、市販の接着剤等を使用しても勿論良い。
【００３３】
また、上記実施形態の説明では、プロジェクタ本体１１は、筺体１１ａ内にＲＧＢ各３色の透過型の画像生成素子１１ｃやプリズム１１ｆ等の透過型の液晶画像生成素子を備えたプロジェクタ本体１１として説明したが、本発明ではこれに限らず、反射型のＤＬＰ画像生成素子等の画像生成素子を備えたプロジェクタ本体１１にも適用可能である。
【００３４】
また、上記実施形態の説明では、プロジェクタ１を一例にしてレンズ鏡筒周囲用防塵フィルタ１３をプロジェクタ１のレンズ鏡筒１２または筐体１１に設けて説明したが、本発明ではこれに限らず、レンズ１２ａが設けられているレンズ鏡筒１２が交換可能な通常のカメラやビデオカメラ等に本発明に係るレンズ鏡筒周囲用防塵フィルタ１３を適用するようにしても勿論良い。
【符号の説明】
【００３５】
１  プロジェクタ
１１  プロジェクタ本体
１１ａ  筺体
１１ａ１  レンズ鏡筒装着用開口部
１１ｂ  光源
１１ｃ  画像生成素子
１１ｄ  内蔵レンズ
１１ｅ  反射ミラー
１１ｆ  プリズム
１１ｇ  電源ユニット
１２  レンズ鏡筒
１２ａ  投射レンズ
１３  レンズ鏡筒周囲用防塵フィルタ
１３ａ  ウレタンフォーム（弾性体）
１３ｂ  繊維毛
１３ｃ  両面テープ（接着部材）
【図１】
0003226195.tif 000003
【図２】
0003226195.tif 000004
【図３】
0003226195.tif 000005
【図４】
0003226195.tif 000006
【図５】
0003226195.tif 000007
【図６】
0003226195.tif 000008
【図７】
0003226195.tif 000009
【図８】
0003226195.tif 000010